(57)【要約】【課題】面材を取付けるための固定手段を見えにくくすることによりレンジフードの外観を向上させることを目的とする。【解決手段】レンジフード用面材取付け桟１０は、面材を受けて保持する面材受け部１２と、固定手段を用いて取付け部材５１にレンジフード用面材取付け桟１０を固定するための固定部１３と、固定部１３の手前に固定手段を見えにくくする隠蔽部１５とを有す。  また、隠蔽部１５が面材６０とフード上端との隙間を覆う本レンジフード用面材取付け桟の本体部分とされ、面材受け部が前記本体部分の前側に設けられて面材の下側縁部を下から保持する部位とされ、固定部が前記本体部分の奥側に設けられて取付け金具に固定される部位とされてもよい。【選択図】図５
2008202841.tif 000002
【特許請求の範囲】
【請求項１】
固定手段によって取付け部材に固定され、レンジフード用の面材とフード上端との隙間を隠蔽するレンジフード用面材取付け桟であって、前記面材を受けて保持する面材受け部と、固定手段を用いて前記取付け部材に前記レンジフード用面材取付け桟を固定するための固定部と、該固定部の手前に前記固定手段を見えにくくする隠蔽部とを有することを特徴とするレンジフード用面材取付け桟。
【請求項２】
前記隠蔽部は前記面材と前記フード上端との隙間を覆う本レンジフード用面材取付け桟の本体部分とされ、前記面材受け部は前記本体部分の前側に設けられて前記面材の下側縁部を下から保持する部位とされ、前記固定部は前記本体部分の奥側に設けられていることを特徴とする請求項１に記載のレンジフード用面材取付け桟。
【請求項３】
前記固定部は本レンジフード用面材取付け桟を取付け部材にねじ止めするためのねじ孔を有し、前記隠蔽部は前記固定部と対向する部位にねじ部品を通過させる貫通孔を有することを特徴とする請求項１又は請求項２に記載のレンジフード用面材取付け桟。
【請求項４】
前記隠蔽部は、前記貫通孔を覆う閉塞部材を備えることを特徴とする請求項３に記載のレンジフード用面材取付け桟。
【請求項５】
前記隠蔽部は、前記貫通孔に閉塞部材を嵌着させたことを特徴とする請求項３に記載のレンジフード用面材取付け桟。
【発明の詳細な説明】
【技術分野】
【０００１】
本発明は、レンジフードのフード上方に面材を取付るためのレンジフード用面材取付け桟に関する。
【背景技術】
【０００２】
一般的なシステムキッチンでは、カウンタにコンロやシンクが配置され、このコンロ上方にレンジフードが配置され、レンジフードの横方にウォールキャビネットが配置されている。ここで、システムキッチン全体の統一感や意匠性を高めるためにウォールキャビネットの扉と同様の化粧面材がフード上方に取付けられることがある。
【０００３】
面材の固定構造として、図９に示すように、面材を固定金具やルーバー（面材取付け金具）を用いてフード上方にねじ止めする構造が知られている（例えば、特許文献１参照）。同構造では、面材１ｂに固定されたルーバー１ｃと固定金具１ｅとをねじ止めし、面材１ｂを固定金具１ｅに固定している。
【０００４】
また、図１０に示す幕板取付け構造も知られている。（特許文献２参照）。同構造では、幕板２ａが枠板２ｂと化粧板２ｃとで構成され、枠板２ｂの背面両側部に掛止片２ｄと弾性片２ｅとが取付けられている。さらに、レンジフード２ｆを両側から挟むウォールキャビネットの両側または壁面に掛止片２ｄを掛止する掛止部２ｇと弾性片２ｅを係止する係止部２ｈとが設けられている。ここで、枠板２ｂ下辺部から延出された垂れ片２iにより、幕板２ａ下辺とレンジフード２ｆ上面間の隙間が覆われている。なお、この垂れ片２ｇには通気孔２ｊが開設されている。
【特許文献１】実開平６−５１７３８号公報
【特許文献２】実開平６−５６６３０号公報
【発明の開示】
【発明が解決しようとする課題】
【０００５】
上述した特許文献１記載の技術では、フードと面材との隙間で面材固定金具をねじ止めしたねじ部品の頭部が露出するため、レンジフードの見栄えがよくなかった。
【０００６】
また、特許文献２記載の考案では、幕板は、掛止片と弾性片とで掛止されているだけであって、比較的重量のある幕板を用いる場合には適さない。そのため、比較的重量のある面材を固定するには、特許文献１のようにルーバー等の取付け金具を用いてねじ止めする必要がある。
【０００７】
本発明は、前記課題に鑑みてなされたもので、面材を取付けるための固定手段を見えにくくすることによりレンジフードの外観を向上させることを目的とする。
【課題を解決するための手段】
【０００８】
上記目的を達成するために、本発明のレンジフード用面材取付け桟は、固定手段によって取付け部材に固定され、レンジフード用の面材とフード上端との隙間を隠蔽するレンジフード用面材取付け桟であって、前記面材を受けて保持する面材受け部と、固定手段を用いて前記取付け部材に前記レンジフード用面材取付け桟を固定するための固定部と、該固定部の手前に前記固定手段を見えにくくする隠蔽部とを有することを特徴とする。本レンジフード用面材取付け桟によると、固定手段を用いて取付け部材にレンジフード用面材取付け桟を固定する固定部の手前に隠蔽部が配置されるため、固定手段が見えにくくなる。
【０００９】
各請求項に係る発明において、隠蔽部は、固定手段を完全に見えなくしてもよい。つまり、固定手段を見えにくくすることには、隠蔽部が固定手段を完全に見えなくすることを含む。
また、隠蔽部は、面材とフード上端との隙間を覆う本体部分とし、面材受け部と固定部とが一体成形または結合される形状としてもよい。そして、隠蔽位は、ねじ部品が通過する貫通孔を有するものであってもよい。さらに、隠蔽部が貫通孔を有する場合は、閉塞部材で該貫通孔を覆てもよいし、閉塞部材を貫通孔に嵌着しもよい。
なお、この明細書でいう、固定手段とは小ねじ・タッピンねじ・ボルト等のねじ部品、着脱式のリベット、着脱式のクリップなどの着脱可能な締結部品を意味する。また、ねじ孔とは、ねじ止めに使用する「おねじ」の軸部（ねじ山の部分）が通過する孔であって、ねじ外径よりも若干大きい、いわゆる「すきま穴」を意味する。
【発明の効果】
【００１０】
以上説明したように本発明によれば、面材を取付け部材に固定するための固定手段を見えにくくすることにより、レンジフードの外観を良くすることができる。
請求項２にかかる発明によれば、フードと面材との隙間を覆う本体部分で固定部そのものを見えにくくするため、固定手段も見えにくく、レンジフードの外観をさらに良くすることができる。  
請求項３にかかる発明によれば、前面側からねじ部品を通過させるための貫通孔を設けているため、面材を固定する作業を容易にすることができる。
請求項４にかかる発明によれば、面材を固定するねじの頭部を確実に見えなくすることができる。
請求項５にかかる発明によれば、閉塞部材は貫通孔と嵌着して固定されるため、閉塞部材が確実に固定されるとともに、閉塞部材を一度取り外した後も再度貫通孔に嵌着させて使用することができる。
【発明を実施するための最良の形態】
【００１１】
（１）レンジフード用面材取付け桟の構成 
図１、図２は、本発明の一実施形態に係る面材取付け桟１０を用いたシステムキッチン９０の要部を示している。システムキッチン９０は、食器や調理器具を洗浄するためのシンク９１と調理用コンロ９２とを配置したキッチンカウンター９３と、このキッチンカウンター９３の調理用コンロ９２上方に配置されるレンジフード８０と、レンジフード８０の側方に配置されるウォールキャビネット７０とを設けている。レンジフード８０は、フード８１と送風機ユニット８２とから成り、フード８１の上方かつ、送風機ユニット８２の前方にユーザの嗜好で化粧面材６０が配置される場合がある。
【００１２】
図２に示すように、化粧面材６０は送風機ユニット８２の前方に金具を用いて固定される。化粧面材６０を固定する金具は、ウォールキャビネット７０の側面又はキッチンの壁面にねじ止めされる取付け金具５０、５１と、化粧面材６０の背面上部にねじ止めされるジョイント金具５２と、化粧面材６０の背面下部にねじ止めされる面材取付け桟１０とから成る。化粧面材６０は、ジョイント金具５２を取付け金具５０と係合させるとともに、固定手段としてのねじ部品であるボルトＳ１で面材取付け桟１０を取付け金具５１と締結させることにより、レンジフード８０の送風機ユニット８２の前方に取付けられる。このとき、面材取付け桟１０は、フード８１の上面と化粧面材６０の下端との隙間を覆う。
【００１３】
図３と図４に示すように、面材取付け桟１０は、取付け金具５１にねじ止めされる取付け桟本体１１と、取付け桟本体１１の前面に設けられて化粧面材６０の下側縁部を下から保持する面材受け部１２とで構成されている。取付け桟本体１１は、固定部１３として、取付け金具５１にねじ止めするためのねじ孔１３ａを備えている。また、面材受け部１２は、ねじ孔１３ａを面材取付け桟１０の前面側Ａから見えにくくするよう、該ねじ孔１３ａの前方に隠蔽部１５を備えている。
【００１４】
面材取付け桟１０は、別体として形成された取付け桟本体１１と面材受け部１２とを所定位置に溶接等で接合することで形成される。取付け桟本体１１は、例えば所定形状に加工されたステンレス板等に、ねじ孔１３ａ、１４を開孔して形成される。面材受け部１２は、例えば所定形状に加工されたステンレス板等を所定形状に曲げ加工して形成される。なお、押出し成形で取付け桟本体１１と面材受け部１２とを一体成形してもよい。
【００１５】
図３に示すように、取付け桟本体１１は、薄い略矩形板状とされている。また、取付け桟本体１１は、その幅Ｗが化粧面材６０の幅と略同一寸法とされ、化粧面材６０の下側縁部を下方から保持する受け面１２ａから取付け桟本体１１の下端までの寸法Ｈがほぼ化粧面材６０の下端とレンジフード８０上面との隙間の高さとされている。そのため、取付け桟本体１１は、化粧面材６０下端とレンジフード８０上端との隙間全体をほぼ隠蔽している。また、取付け桟本体１１の幅方向両端には、下部近傍に取付け金具５１に固定するためのねじ孔１３ａが形成され、上部近傍に化粧面材６０を固定するためのねじ孔１４が形成されている。なお、化粧面材６０を固定するためのねじ孔１４は、多数形成してもよい。
【００１６】
図４に示すように、面材受け部１２は、前記受け面１２ａと、受け面１２ａの端部縁部から略垂直に所定長だけ延設した枠部１２ｂとを有する。ここで、受け面１２ａは、比較的重い化粧面材６０を受けるため、化粧面材６０の下側縁部を載置して化粧面材６０を下から保持する。また、枠部１２ｂは、受け面１２ａに載置される耐火材２０を前方側から掛止する。受け面１２ａと枠部１２ｂとは、取付け桟本体１１の幅Ｗと略同長の矩形状の薄板を化粧面材６０の厚み分だけ残して短手方向の端部を折り曲げて形成される。このため、図４で受け面１２ａの取付け桟本体１１から枠部１２ｂの内壁側までの寸法Ｄ1は、少なくとも化粧面材６０の厚みより大きくなる。
【００１７】
隠蔽部１５は、矩形状の薄板で形成されている。面材受け部１２の受け面１２ａが取付け桟本体１１の前面と略垂直になるよう固定されたとき、隠蔽部１５は、ねじ孔１３ａの前方に配置されるよう面材受け部１２に固定又は一体形成される。取付け桟本体１１から隠蔽部１５の内壁までの寸法Ｄ２は取付け金具５１に固定するための六角ボルト等のねじをねじ孔１３ａに挿通可能な寸法であるとともに、スパナ等の工具の頭部を挿入可能な寸法となるように設定されている。なお、図示の隠蔽部１５は、ねじ孔１３ａ、１３ａの前面でそれぞれ別に形成されているが、隠蔽部１５は、一本の部材で形成されてもよい。
【００１８】
以上の構成を有する面材取付け桟１０を用いることにより、図５に示すようにして化粧面材６０をレンジフード８０上方に取付ることができる。
まず、図５（ａ）に示すように、ジョイント金具５２を化粧面材６０の背面上部にねじ止めした後、面材取付け桟１０の耐火材２０を敷いた受け面１２ａに化粧面材６０を載置し、面材取付け桟１０の背面側からねじ止めする。次に、ジョイント金具５２から延設したジョイント片５２ａを取付け金具５０の開口５０ａに挿入して、取付け金具５０に係合させる。最後に、図５（ｂ）に示すように、取付け桟本体１１の前側から六角ボルトＳ１をねじ孔１３ａに挿入させ、隠蔽部１５と取付け桟本体１１との隙間にスパナの頭部を挿入して六角ボルトＳ１を締め付ける。こうして、面材取付け桟１０が取付け金具５１にねじ止めされ、化粧面材６０がレンジフード８０上方に取付けられる。また、化粧面材６０とレンジフード８０上面とで形成される隙間は面材取付け桟１０で隠蔽される。
【００１９】
（２）レンジフード用面材取付け桟の作用・効果
以下、図５を参照して、面材取付け桟１０の作用、効果を説明する。
面材取付け桟１０と取付け金具５１とを締結した固定手段としてのねじ部品である六角ボルトＳ１の前方には、面材受け部１２から延設した隠蔽部１５が配置される。このため、六角ボルトＳ１の頭部は隠蔽部１５によって化粧面材６０の前面側Ａから見えにくくなり、外観の美観が向上する。
【００２０】
（３）変形例
本発明の面材取付け桟１０は、種々の変形例が考えられる。
本レンジフード用面材取付け桟は、一部又は全部が金属以外のセラミックスなどの不燃材からなる部材とされてもよい。なお、隠蔽部は熱可塑性樹脂といった樹脂形成材料で形成されてもよい。
図６、図７に示す面材取付け桟１０のように、取付け桟本体１１と固定部１３とが別体で形成されるものであってもよい。本面材取付け桟１０は、別体で形成された固定部１３を取付け桟本体１１の背面側にスポット溶接して固定される。本変形例では、隠蔽部は面材受け部１２に形成されるのではなく、取付け桟本体１１がその機能を有している。
【００２１】
取付け桟本体１１は、矩形状の板の前面側に面材受け部１２が配置され、幅方向の両端下部にねじ部品Ｓ１を通過させることが可能な貫通孔１６が配置される。そして、貫通孔１６を通り抜けたねじ部品Ｓ１の軸部（ねじ山の部分）を固定部のねじ孔１３ｅから挿入して回すと、固定部１３を取付け金具５１に締結させることができる。なお、取付け桟本体１１に形成される貫通孔１６の直径は、ねじＳ１の頭部の直径以上としてある。固定部１３は、金属板をクランク状に曲げ加工して形成された溶接面１３ｂと、間隙面１３ｃと、ねじ止め面１３ｄとを有している。ここで、溶接面１３ｂは取付け桟本体１１とスポット溶接される面とされ、間隙面１３ｃは溶接面１３ｂから略垂直に所定長さだけ折り曲げられて形成された面とされ、ねじ止め面１３ｄは間隙面１３ｃから略垂直に折り曲げられて形成された面とされている。このねじ止め面１３ｄにねじ孔１３ａが形成されている。
【００２２】
図７に示すように、固定部の溶接面１３ｂは、取付け桟本体１１の背面側に面接触させた状態で取付け桟本体１１にスポット溶接される。このとき、取付け桟本体１１の貫通孔１６の位置と固定部のねじ孔１３ａの位置とが合わせられて固定部１３が取付け桟本体１１に固定される。そのため、固定部１３は、取付け桟本体１１の前面側Ａから見た場合、取付け桟本体１１より奥まった位置に配置される。さらに、ドライバー等の工具の先を前面側Ａから貫通孔１６に挿入してねじ部品Ｓ１を締めることができ、ねじ止め作業を容易に行うことができる。また、固定部１３の前に取付け金具本体１１の下部が配置されるため、ねじ部品Ｓ１の頭部を見えにくくすることができる。これにより、面材取付け桟１０は、隠蔽部１５としての機能を果たす。 
【００２３】
また、図７に示す面材取付け桟１０のように、ねじ部品Ｓ１の頭部を隠蔽するために閉塞部材１７で貫通孔１６を覆ってもよい。本変形例では、面材取付け桟１０をフード８１上方に取付けた後、発泡ゴムや樹脂成形品で形成された閉塞部材１７を、接着剤又は両面テープを用いて貫通孔１６を覆うよう固定している。また、図８に示す面材取付け桟１０のように、閉塞部材１７を貫通孔１６に嵌着させた形状としてもよい。閉塞部材１７は、貫通孔１６と略同一の横断面である嵌着部１７ａを備え、嵌着部１７ａが貫通孔１６に挿通されて嵌着することによりねじＳ１を前面側Ａから隠蔽する。本変形例では、嵌着部１７ａが貫通孔１６と嵌着して固定しているだけなので閉塞部材１７の取外しが容易であるとともに、取り外した閉塞部材１７を何度でも貫通孔１６に嵌着させることができる。
【００２４】
なお、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【図面の簡単な説明】
【００２５】
【図１】面材が固定されるシステムキッチンの一例を示す要部斜視図。
【図２】面材をレンジフードに取付る一例を示す斜視図。
【図３】面材取付け桟の一例を示す斜視図。
【図４】面材取付け桟の一例を示す垂直断面図。
【図５】面材の取付け構造の一例を表す垂直断面図。
【図６】面材取付け桟の変形例を示す斜視図。
【図７】面材の取付け構造の変形例を示す垂直断面図。
【図８】面材の取付け構造の変形例を示す垂直断面図。
【図９】従来の面材の取付け構造を示す垂直断面図。
【図１０】従来の面材の取付け構造を示す垂直断面図。
【符号の説明】
【００２６】
１０…面材取付け桟、１１…取付け桟本体、１２…面材受け部、１２ａ…受け面、１２ｂ…枠部、１３…固定部、１３ａ…ねじ孔、１３ｂ…溶接面、１３ｃ…間隙面、１３ｄ…ねじ止め面、１４…ねじ孔、１５…隠蔽部、１６…貫通孔、１７…閉塞部材、１７ａ…嵌着部、２０…耐火材、５０…取付け金具、５０ａ…開口、５１…取付け金具、５２…ジョイント金具、５２ａ…弾性力ジョイント片、６０…化粧面材、７０…ウォールキャビネット、８０…レンジフード、８１…フード、８２…送風機ユニット、９０…システムキッチン、Ｓ１、Ｓ２…ねじ部品
【図１】
2008202841.tif 000003
【図２】
2008202841.tif 000004
【図３】
2008202841.tif 000005
【図４】
2008202841.tif 000006
【図５】
2008202841.tif 000007
【図６】
2008202841.tif 000008
【図７】
2008202841.tif 000009
【図８】
2008202841.tif 000010
【図９】
2008202841.tif 000011
【図１０】
2008202841.tif 000012